(57)【要約】【課題】反射層の酸化を抑制し、レンズ層から反射層が剥離してしまうのを低減することができる反射スクリーン、映像表示システムを提供する。【解決手段】反射スクリーン１０は、映像源ＬＳから投影される映像光を反射させて観察可能に表示する反射スクリーン１０において、レンズ面１３１ａ及び非レンズ面１３１ｂを有し背面側に凸となる単位レンズ１３１が複数配列されたフレネルレンズを形成するレンズ層１３と、少なくともレンズ層１３のレンズ面１３１ａに、金属膜又は金属粒子によって形成され、光を反射する反射層１２と、反射層１２の映像源側とは反対側に設けられ、酸化防止剤を含んだ保護層１１とを備える。【選択図】図２
2014071210.tif 000002
【特許請求の範囲】
【請求項１】
映像源から投影される映像光を反射させて観察可能に表示する反射スクリーンにおいて、
レンズ面及び非レンズ面を有し背面側に凸となる単位レンズが複数配列されたフレネルレンズを形成するフレネルレンズ層と、
少なくとも前記フレネルレンズ層のレンズ面に、金属膜又は金属粒子によって形成され、光を反射する反射部と、
前記反射部の映像源側とは反対側に設けられ、酸化防止剤を含んだ酸化防止層と、
を備える反射スクリーン。
【請求項２】
請求項１に記載の反射スクリーンにおいて、
前記酸化防止層は、防湿剤を含んでいること、
を特徴とする反射スクリーン。
【請求項３】
請求項１又は請求項２に記載の反射スクリーンにおいて、
前記酸化防止層は、前記反射部の映像源側とは反対側に、前記反射部と接するようにして形成されること、
を特徴とする反射スクリーン。
【請求項４】
請求項１から請求項３までのいずれか１項に記載の反射スクリーンにおいて、
前記酸化防止剤は、前記酸化防止層を形成する母材に対して、質量比が１％以上、３％以下の割合で含有されていること、
を特徴とする反射スクリーン。
【請求項５】
請求項１から請求項４までのいずれか１項に記載の反射スクリーンと、
前記反射スクリーンに映像光を投射する映像源と、
を備える映像表示システム。
【発明の詳細な説明】
【技術分野】
【０００１】
本発明は、投射された映像光を反射して表示する反射スクリーン、映像表示システムに関するものである。
【背景技術】
【０００２】
近年、短焦点型の映像投射装置によって投射された映像光を良好に表示するために、単位レンズが複数配列されたリニアフレネルレンズ形状やサーキュラーフレネルレンズ形状を有するレンズ層に反射層を形成した反射スクリーン等が様々に開発されている（例えば、特許文献１）。
このような反射スクリーンの中には、映像源側から表面層、基材層、レンズ層、反射層、保護層の順で形成されたものが存在するが、一般の使用環境下や、製品輸送時、保管時等において、空気中に含まれる水分を、反射スクリーンの背面側の保護層等から吸収してしまう場合がある。ここで、レンズ層を形成する樹脂には、製造段階においてレンズ層の金型からの離型性を向上させるためにリン酸エステルが含まれているが、このリン酸エステルは水分により加水分解され、強酸であるリン酸とアルコールとに分離する。そのため、反射スクリーンが水分を吸収してしまった場合、分解したリン酸や、水分に含まれる酸素によって、レンズ層の背面に形成された反射層に含まれる金属が酸化してしまい、反射層が脆くなってしまい、レンズ層から剥離してしまう場合があった。
【先行技術文献】
【特許文献】
【０００３】
【特許文献１】特開平０８−２９８７５号公報
【発明の概要】
【発明が解決しようとする課題】
【０００４】
本発明の課題は、反射層の酸化を抑制し、レンズ層から反射層が剥離してしまうのを低減することができる反射スクリーン、映像表示システムを提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
第１の発明は、映像源（ＬＳ）から投影される映像光を反射させて観察可能に表示する反射スクリーン（１０）において、レンズ面（１３１ａ）及び非レンズ面（１３１ｂ）を有し背面側に凸となる単位レンズ（１３１）が複数配列されたフレネルレンズを形成するフレネルレンズ層（１３）と、少なくとも前記フレネルレンズ層のレンズ面に、金属膜又は金属粒子によって形成され、光を反射する反射部（１２）と、前記反射部の映像源側とは反対側に設けられ、酸化防止剤を含んだ酸化防止層（１１）と、を備える反射スクリーンである。
第２の発明は、第１の発明の反射スクリーン（１０）において、前記酸化防止層（１１）は、防湿剤を含んでいること、を特徴とする反射スクリーンである。
第３の発明は、第１の発明又は第２の発明の反射スクリーン（１０）において、前記酸化防止層（１１）は、前記反射部（１２）の前記映像源側とは反対側に、前記反射部と接するようにして形成されること、を特徴とする反射スクリーンである。
第４の発明は、第１の発明から第３の発明までのいずれかの反射スクリーン（１０）において、前記酸化防止剤は、前記酸化防止層（１１）を形成する母材に対して、質量比が１％以上、３％以下の割合で含有されていること、を特徴とする反射スクリーンである。
【０００７】
第５の発明は、第１の発明から第４の発明までのいずれかの反射スクリーン（１０）と、前記反射スクリーンに映像光を投射する映像源（ＬＳ）と、を備える映像表示システム（１）である。
【発明の効果】
【０００８】
本発明によれば、反射スクリーン及び映像表示システムは、反射層の酸化を抑制して、レンズ層から反射層が剥離してしまうのを低減することができる。
【図面の簡単な説明】
【０００９】
【図１】第１実施形態の反射スクリーン１０を備える映像表示システム１を示す図である。
【図２】第１実施形態の反射スクリーン１０の層構成を説明する図である。
【図３】第１実施形態のレンズ層１３を説明する図である。
【図４】第１実施形態の反射スクリーン１０へ入射する映像光や外光の様子を説明する図である。
【図５】第２実施形態の反射スクリーン２１０の層構成を説明する図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、適宜置き換えることができるものとする。
さらに、本明細書中に記載する各部材の寸法等の数値及び材料名等は、実施形態としての一例であり、これに限定されるものではなく、適用可能な範囲内で適宜選択して使用してよい。
【００１１】
（第１実施形態）
図１は、本実施形態の映像表示システム１を説明する図である。図１（ａ）は、映像表示システム１の斜視図であり、図１（ｂ）は、映像表示システム１の側面図である。
映像表示システム１は、反射スクリーン１０、映像源ＬＳ等を有している。本実施形態の映像表示システム１は、映像源ＬＳから投影された映像光Ｌを反射スクリーン１０が反射して、その画面上に映像を表示する一般的な映像表示システムである。
映像表示システム１は、例えば、フロントプロジェクションテレビシステム等として用いることができる。なお、映像表示システム１は、反射スクリーン１０と映像源ＬＳと反射スクリーンの観察画面上の入力部の位置を検出する位置検出部やパーソナルコンピュータ等を備えたインタラクティブボードシステムとしてもよい。
【００１２】
映像源ＬＳは、映像光Ｌを反射スクリーン１０へ投射する装置であり、汎用の短焦点型プロジェクタ等を用いることができる。この映像源ＬＳは、使用状態において、反射スクリーン１０の画面を法線方向（スクリーン面の法線方向）から見た場合に、反射スクリーン１０の画面左右方向において中央であって、反射スクリーン１０の画面（表示領域）よりも下方側となる位置に配置されている。なお、スクリーン面とは、この反射スクリーン全体として見たときにおける、反射スクリーンの平面方向となる面を示すものである。
この映像源ＬＳは、反射スクリーン１０の画面に直交する方向（反射スクリーン１０の厚み方向）における反射スクリーン１０との距離が、従来の汎用プロジェクタに比べて大幅に近い位置から映像光Ｌを投射できる。即ち、この映像源ＬＳは、従来の汎用プロジェクタに比べて、反射スクリーン１０までの投射距離が短く、その映像光Ｌの反射スクリーン１０に対する入射角度も大きい。
【００１３】
反射スクリーン１０は、映像源ＬＳが投射した映像光Ｌを観察者Ｏ側へ向けて反射し、映像を表示するスクリーンである。使用状態において、この反射スクリーン１０の観察画面は平面状であり、観察者Ｏ側から見て、その観察画面は、長辺方向が画面左右方向となる略矩形状である。
なお、以下の説明中において、画面上下方向、画面左右方向、厚み方向とは、特に断りが無い場合、この反射スクリーン１０の使用状態における画面上下方向（鉛直方向）、画面左右方向（水平方向）、厚み方向（奥行き方向）であるとする。
【００１４】
反射スクリーン１０は、その背面側に、平板状の支持板５０が、粘着材等からなる不図示の接合層を介して設けられており、この支持板５０により、その平面性を維持している。この反射スクリーン１０は、対角８０インチや１００インチ等の大きな画面（表示領域）を有している。
【００１５】
図２は、本実施形態の反射スクリーン１０の層構成を説明する図である。
図２では、反射スクリーン１０の観察画面（表示領域）の幾何学的中心となる点Ａ（図１（ａ）、（ｂ）参照）を通り、画面上下方向に平行であって、スクリーン面に直交（厚み方向に平行）な断面の一部を拡大して示している。また、図２では、接合層と支持板５０とを省略している。
反射スクリーン１０は、その映像源側（観察者側）から順に、表面層１５、基材層１４、レンズ層１３、反射層１２、保護層１１（酸化防止層）等を備えている。
基材層１４は、映像源側（観察者側）に、表面層１５が一体に形成され、背面側（裏面側）に、レンズ層１３が一体に形成されている。
基材層１４は、光拡散層１４１と、着色層１４２とを有している。本実施形態の基材層１４は、光拡散層１４１と着色層１４２とは一体に積層されている。本実施形態では、図２（ａ）に示すように、光拡散層１４１が背面側であり、着色層１４２が映像源側に位置する例を示したが、これに限らず、光拡散層１４１が映像源側に位置し、着色層１４２が背面側に位置する形態としてもよい。
【００１６】
光拡散層１４１は、光透過性を有する樹脂を母材とし、光を拡散する拡散材を含有する層である。この光拡散層１４１は、視野角を広げたり、明るさの面内均一性の向上を図ったりする機能を有する。
光拡散層１４１の母材となる樹脂は、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂、ＰＥＮ（ポリエチレンナフタレート）樹脂等を用いることができる。この光拡散層１４１の厚さは、１００〜２００μｍ程度とすることができる。また、拡散材としては、アクリル系樹脂、エポキシ樹脂、シリコン系等の樹脂製の粒子や無機粒子等であり、その平均粒径が約１〜５０μｍであるものを使用できる。
【００１７】
着色層１４２は、所定の透過率とするための灰色や黒色等の染料や顔料等により着色が施された層である。本実施形態では、着色層１４２は、光拡散層１４１の映像源側（観察者側）に位置している。
この着色層１４２は、反射スクリーン１０に入射する照明光等の不要な外光を吸収させて、映像のコントラストを向上させる機能を有する。
着色層１４２は、例えば、厚さが３０〜３０００μｍであり、染料や顔料を含有するＰＥＴ樹脂や、ＰＣ樹脂、ＭＳ樹脂、ＭＢＳ樹脂、アクリル系樹脂、ＴＡＣ樹脂、ＰＥＮ樹脂等により形成される。
本実施形態の基材層１４は、光拡散層１４１と着色層１４２とを共押し出しすることにより一体に積層されて形成されている。なお、基材層１４を単層とし、拡散材と顔料や染料等の着色材とを共に含有する形態としてもよい。
【００１８】
図３は、本実施形態のレンズ層１３を説明する図である。図３（ａ）は、レンズ層１３を背面側正面方向から観察した様子を示しており、理解を容易にするために、反射層１２や保護層１１は省略して示している。図３（ｂ）は、図２に示す断面の一部をさらに拡大して示している。
レンズ層１３は、基材層１４の背面側に設けられた光透過性を有する層であり、図３（ａ）に示すように、点Ｃを中心として単位レンズ１３１が同心円状に複数配列されたサーキュラーフレネルレンズ形状をその背面側に有している。この単位レンズ１３１が配列されて形成されるサーキュラーフレネルレンズは、その光学的中心であるフレネルセンターのある点Ｃが、反射スクリーン１０の画面（表示領域）の領域外であって、反射スクリーン１０の下方に位置している。
なお、本実施形態では、レンズ層１３がサーキュラーフレネルレンズを有する例を上げて説明するが、リニアフレネルレンズを有する形態としてもよい。
【００１９】
単位レンズ１３１は、図２、図３（ｂ）に示すように、スクリーン面に直交する方向（反射スクリーン１０の厚み方向）に平行であって、単位レンズ１３１の配列方向に平行な断面における断面形状が、略三角形形状である。
この単位レンズ１３１は、背面側に凸であり、レンズ面１３１ａと、このレンズ面１３１ａと対向する非レンズ面１３１ｂとを備えている。
反射スクリーン１０の使用状態において、単位レンズ１３１は、レンズ面１３１ａが頂点ｔを挟んで非レンズ面１３１ｂよりも鉛直方向上側に位置している。
【００２０】
単位レンズ１３１において、図３（ｂ）に示すように、レンズ面１３１ａがスクリーン面に平行な面となす角度は、αであり、非レンズ面１３１ｂがスクリーン面に平行な面となす角度は、β（β＞α）である。
また、単位レンズ１３１の配列ピッチは、Ｐであり、単位レンズ１３１のレンズ高さ（スクリーンの厚み方向における頂点ｔから単位レンズ１３１間の谷底となる点ｖまでの寸法）は、ｈである。
理解を容易にするために、図２等では、単位レンズ１３１の配列ピッチＰ、角度α，βは、単位レンズ１３１の配列方向において一定であるように示している。しかし、本実施形態の単位レンズ１３１は、実際には、配列ピッチＰ等が一定であるが、角度αが単位レンズ１３１の配列方向においてフレネルセンターとなる点Ｃから離れるにつれて次第に大きくなっている。
【００２１】
なお、これに限らず、角度α等は、一定としてもよいし、配列ピッチＰが、単位レンズ１３１の配列方向に沿って次第に変化する形態としてもよく、映像光を投影する映像源ＬＳの画素（ピクセル）の大きさや、映像源ＬＳの投射角度（反射スクリーン１０のスクリーン面への映像光の入射角度）、反射スクリーン１０の画面サイズ、各層の屈折率等に応じて、適宜変更可能である。
【００２２】
このレンズ層１３は、ウレタンアクリレートやエポキシアクリレート等の紫外線硬化型樹脂により形成されている。なお、レンズ層１３は、電子線硬化型樹脂等の他の電離放射線硬化型樹脂により形成してもよい。
このレンズ層１３は、例えば、基材層１４の一方の面（本実施形態では、光拡散層１４１側の面）を、紫外線硬化型樹脂が充填されたサーキュラーフレネルレンズ形状を賦形する成形型に押圧し、紫外線を照射して硬化させた後に成形型から離型する紫外線成型法等により形成することができる。なお、レンズ層１３の形成方法は、適宜選択してよく、この限りではない。
【００２３】
反射層１２は、光を反射する作用を有する層である。この反射層１２は、少なくともレンズ面１３１ａに形成される。
本実施形態の反射層１２は、図２や図３（ｂ）に示すように、レンズ面１３１ａに形成されている一方、非レンズ面１３１ｂには形成されていない。
反射層１２は、銀やアルミニウム等の金属蒸着膜や金属箔等を粉砕した粒子や微小なフレークを含む塗料等を、スプレーコートや、ダイコート、スクリーン印刷、ワイピングによる溝充填等の各種塗布方法により塗布して硬化させることにより形成できる。また、反射層１２は、レンズ面１３１ａ上に、アルミニウムや銀、ニッケル等の金属を蒸着する、スパッタリングする、又は金属箔を転写する等により形成することができる。
本実施形態の反射層１２は、アルミニウムをレンズ面１３１ａに蒸着することにより形成されている。
【００２４】
保護層１１は、レンズ層１３及び反射層１２の背面側に設けられ、反射層１２を保護する作用と、光を吸収する作用とを有している。本実施形態の保護層１１は、反射層１２及び非レンズ面１３１ｂを被覆しており、非レンズ面１３１ｂにも形成された形態となっている。
保護層１１は、黒色等の暗色系の塗料や、黒色等の暗色系の顔料や染料及び光吸収作用を有するビーズ等とを含有した母材（熱硬化型樹脂もしくは紫外線硬化型樹脂）を、反射層１２をレンズ面１３１ａに形成したレンズ層１３の背面側（フレネルレンズ形状側）に塗布して硬化させることにより、形成される。これにより、保護層１１は、レンズ層１３の非レンズ面１３１ｂに入射した光を吸収することができる。
【００２５】
ここで、反射スクリーン１０は、一般の使用環境下において、その背面側（保護層１１側）の面から、空気中の水分を吸収してしまう場合がある。また、本実施形態のように、保護層１１の背面側に不図示の接合層により支持板５０を設けている場合であっても、反射スクリーン１０の外周側面から空気中の水分を吸収してしまう場合がある。この水分が、反射スクリーン内のレンズ層に到達すると、その水分により、レンズ層を形成する樹脂中に含まれるリン酸エステルが加水分解され、リン酸とアルコールに分解されることとなり、分解したリン酸が強酸であることから、そのリン酸や、水分に含まれる酸素によって、反射層に金属が含まれている場合には、その金属が酸化してしまう。これにより、反射層は、蒸着膜が脆くなってしまい、レンズ面から剥離してしまうこととなる。
そのため、本実施形態の保護層１１には、上記母材に酸化防止剤及び防湿剤を含有させている。これにより、保護層１１は、反射層１２の酸化を防止するとともに、反射スクリーン１０の背面側から浸入した水分が反射層１２に到達するのを抑制することができ、反射層１２を保護することができる。なお、保護層１１には、酸化防止剤のみを含有させてもよい。
ここで、保護層１１に含まれる酸化防止剤は、保護層１１を形成する母材に対する質量比が、１％未満であると、保護層１１の酸化防止機能が低下し、３％より大きいと、保護層１１と、レンズ層１３及び反射層１２との密着性が低下してしまうので、１％以上、３％以下であることが望ましい。
【００２６】
ここで、保護層１１に含有される酸化防止剤として、例えば、２，６−ジ−ｔ−ブチルパラクレゾール（ＤＢＰＣ）、４，４‘メチレンビス（２，６−ジ−ｔ−ブチルフェノール）、４，４’メチレンビス（６−ｔ−ブチル−ｏ−クレゾール）、フェニル−α−ナフチルアミン、フェノチアジン、Ｐ，Ｐ‘−ジオクチルジフェニルアミン、Ｎ，Ｎ’ジサリチリデン−１，２−ジアミノプロパン、ベンゾトリアゾール、２（ｎ−ドデシルジチオ）ベンズイミダゾール等のうちいずれか一つ、もしくは、これらのうち複数種類の組み合わせを用いることができる。また、保護層１１に含有される防湿剤としては、シリカゲルや、炭酸カルシウム等を用いることができる。
【００２７】
表面層１５は、基材層１４の映像源側（観察者側）に設けられる層である。本実施形態では、表面層１５は、この反射スクリーン１０の映像源側の最表面に形成されている。
この表面層１５は、反射スクリーン１０の映像源側表面の傷つきを低減するハードコート機能と、スクリーンへの映り込みを低減する機能（防眩機能）とを有している。
この表面層１５は、その厚さが、１〜２５μｍ程度である。
表面層１５は、基材層１４とは別層であって不図示の粘着材等により基材層１４に接合される形態としてもよいし、上述のように、基材層１４のレンズ層１３とは反対側の面に直接形成される形態としてもよい。
【００２８】
本実施形態の反射スクリーン１０へ入射する映像光及び外光の様子を説明する。
図４は、反射スクリーン１０へ入射する映像光や外光の様子を説明する図である。図４では、理解を容易にするために、反射スクリーン１０の各層の屈折率差や光拡散層１４１の拡散作用等は省略して示している。
図４に示すように、映像源ＬＳから投影された大部分の映像光Ｌ１は、反射スクリーン１０の下方から入射し、表面層１５、基材層１４を透過してレンズ層１３の単位レンズ１３１へ入射する。
そして、映像光Ｌ１は、レンズ面１３１ａへ入射して反射層１２によって反射され、観察者Ｏ側へ向かって反射スクリーン１０から出射する。なお、角度β（図３（ｂ）参照）は、映像光Ｌ１が反射スクリーン１０の下方から投射され、反射スクリーン１０の画面上下方向の各点における映像光Ｌ１の入射角度よりも大きいので、映像光Ｌ１が非レンズ面１３１ｂに直接入射することはなく、非レンズ面１３１ｂは、映像光Ｌ１の反射には影響しない。
【００２９】
一方、照明光等の不要な外光Ｇ１，Ｇ２は、図４に示すように、主として反射スクリーン１０の上方から入射し、表面層１５、基材層１４を透過してレンズ層１３の単位レンズ１３１へ入射する。
そして、一部の外光Ｇ１は、非レンズ面１３１ｂへ入射して、保護層１１によって吸収される。また、一部の外光Ｇ２は、レンズ面１３１ａで反射して、主として反射スクリーン１０の下方側へ向かうので、観察者Ｏ側には直接届かず、また、届いた場合にもその光量は、映像光Ｌ１に比べて大幅に少ない。従って、反射スクリーン１０では、外光Ｇ１，Ｇ２による映像のコントラスト低下を抑制できる。
【００３０】
次に、本実施形態に係る反射スクリーン１０（実施例）と、酸化防止剤、防湿剤を添加していない保護層を備える反射スクリーン（比較例）とを作製して、レンズ層と反射層との密着性を評価した。評価に使用する反射スクリーンは、それぞれ、対角１００インチ（２２１４×１２４５ｍｍ）であり、図２に示す反射スクリーン１０の層構成と同様に、背面側から保護層、反射層、レンズ層、基材層、表面層の順で構成されている。
レンズ層と反射層との密着性の評価試験は、塗膜等の付着性（密着性）を評価するクロスカット法（ＪＩＳＫ５６００−５−６）に基づいて行われた。すなわち、本評価試験は、反射スクリーンの背面側の保護層の表面に、碁盤目状の切り込みを、反射層とレンズ面との界面にまで入れ、その碁盤目状の切り込み上に透明粘着テープを貼付し、引き剥がすことによって行われる。ここで、碁盤目状の切り込みは、縦１０列、横１０段の合計１００マスの切り込みが形成され、評価試験は、この１００マスに貼付された透明粘着テープを引き剥がすことにより、各マスの剥離状態を評価する。なお、評価試験は、反射スクリーンの中央部付近から約２１０ｍｍ×３００ｍｍのサイズに切り出された試験片を、室温４０℃、湿度９０％ＲＨの環境下で養生させた後に、室温約２５℃、湿度約４０％の常温環境下で更に２４時間養生させてから実施した。また、上記試験片は、上述の室温４０℃、湿度９０％ＲＨの環境下に７２時間養生されたものと、同環境下に１６８時間養生されたものとが用いられる。
【００３１】
実施例に係る反射スクリーン１０は、保護層１１、反射層１２、レンズ層１３、基材層１４、表面層１５から構成されている。実施例１及び実施例３に係る反射スクリーン１０の保護層１１には、酸化防止剤としてベンゾトリアゾールが、母材となる紫外線硬化型樹脂に対して質量比が１％の割合で含有されており、防湿剤は含有されていない。実施例２及び実施例４に係る反射スクリーン１０の保護層１１には、酸化防止剤としてベンゾトリアゾールが、母材となる紫外線硬化型樹脂に対して質量比が１％の割合で含有され、また、防湿剤としてシリカゲルが、母材となる紫外線硬化型樹脂に対して質量比が３％以下の割合で含有されている。
これに対して、比較例に係る反射スクリーンは、上記実施例の反射スクリーン１０と同様の層構成を有しているが、保護層１１には、酸化防止剤、防湿剤が含有されていない。
以上の条件で行った評価試験の結果を表１に示す。
【００３２】
【表１】
2014071210.tif 000003
【００３３】
比較例１は、表１に示すように、酸化防止剤、防湿剤を添加していない保護層を備える反射スクリーンの試験片を、評価試験環境下（室温４０℃、湿度９０％ＲＨ）において７２時間養生した後に評価試験を実施した場合である。この場合、剥離しなかったマスの数は、１００ヵ所中６４ヵ所であった。
これに対して、実施例１は、本実施形態の酸化防止剤のみを添加した保護層１１を備える反射スクリーン１０の試験片を比較例１と同様の条件で養生、評価試験を実施した場合であり、この場合、剥離しなかったマスの数は、１００箇所中１００箇所、すなわち全てのマスが剥離しなかった。
また、実施例２は、本実施形態の酸化防止剤、防湿剤を添加した反射スクリーン１０の試験片を比較例１と同様の条件で養生、評価試験を実施した場合であり、この場合、剥離しなかったマスの数は、１００箇所中１００箇所、すなわち全てのマスが剥離しなかった。
【００３４】
比較例２は、比較例１と同様の反射スクリーンの試験片を、評価試験環境下（室温４０℃、湿度９０％ＲＨ）において１６８時間養生した後に評価試験を実施した場合である。この場合、剥離しなかったマスの数は、１００ヵ所中１８ヵ所であった。
これに対して、実施例３は、本実施形態の酸化防止剤のみを添加した保護層１１を備える反射スクリーン１０の試験片を比較例２と同様の条件で養生、評価試験を実施した場合であり、この場合、剥離しなかったマスの数は、１００箇所中１００箇所、すなわち全てのマスが剥離しなかった。
また、実施例４は、本実施形態の酸化防止剤、防湿剤を添加した反射スクリーン１０の試験片を比較例２と同様の条件で養生、評価試験を実施した場合であり、この場合、剥離しなかったマスの数は、１００箇所中１００箇所、すなわち全てのマスが剥離しなかった。
【００３５】
これは、高温多湿（室温４０℃、湿度９０％ＲＨ）の試験環境下において、各比較例の反射スクリーンの試験片は、保護層が空気中に含まれる水分を吸収し、反射層に含まれる金属が酸化してしまい、蒸着膜が脆くなったためと考えられる。これに対して、各実施例の反射スクリーン１０の試験片は、保護層１１に酸化防止剤を含有しているので、反射スクリーン１０の試験片が水分を吸収したとしても、反射層１２に含まれる金属の酸化を抑制し、蒸着膜が脆くなるのを低減させることができたものと考えられる。
【００３６】
以上より、本実施形態の反射スクリーン１０は、反射層１２の映像源側とは反対側に設けられ、酸化防止剤を含んだ保護層１１を備えているので、反射スクリーン１０の外周側面や背面側等から空気中の水分等が吸収されたとしても、反射層１２に含まれる金属の酸化を抑制することができ、レンズ面１３１ａから反射層１２が剥離してしまうのを抑制することができる。
また、保護層１１には、防湿剤も含まれているので、反射層１２に含まれる金属の酸化を更に効果的に抑制することができ、レンズ面１３１ａから反射層１２が剥離してしまうのを抑制することができる。
【００３７】
更に、保護層１１は、反射層１２の背面側に、反射層１２と接するようにして形成されているので、反射スクリーン１０の背面側から浸入する水分の反射層１２への到達を効率よく抑制することができる。
また、保護層１１に含まれる酸化防止剤は、保護層１１を形成する母材に対して、質量比が１％以上、３％以下としているので、より効果的に反射層１２に含まれる金属の酸化を抑制することができる。
【００３８】
（第２実施形態）
図５は、第２実施形態の反射スクリーン２１０の層構成を説明する図である。
なお、以下の説明及び図面において、前述した第１実施形態と同様の機能を果たす部分には、同一の符号又は末尾に同一の符号を付して、重複する説明を適宜省略する。
【００３９】
第２実施形態の反射スクリーン２１０は、保護層２１１に酸化防止剤及び防湿剤が含有されてない点で、第１実施形態の反射スクリーン１０と相違する。また、反射スクリーン２１０は、図５に示すように、支持板５０を保護層２１１の背面に接着するための接合層２２０（酸化防止層）を備えており、この接合層２２０に酸化防止剤及び防湿剤が含有されている。
この場合においても、レンズ層１３の背面側に設けられた接合層２２０に酸化防止剤及び防湿剤が含まれているので、反射スクリーンの外周側面や、背面側等から空気中の水分等が吸収されたとしても、反射層１２に含まれる金属の酸化を抑制することができ、レンズ面１３１ａから反射層１２が剥離してしまうのを抑制することができる。
【００４０】
（変形形態）
以上説明した実施形態に限定されることなく、種々の変形や変更が可能であって、それらも本発明の範囲内である。
（１）各実施形態において、保護層１１又は接合層２２０は、酸化防止剤及び防湿剤の両方を含む例で説明したが、これに限定されず、酸化防止剤だけ含むようにしても良い。また、第２実施形態の場合には、保護層２１１に酸化防止剤を、接合層２２０に防湿剤を含ませるようにすることも可能である。
（２）各実施形態において、保護層１１又は接合層２２０に酸化防止剤及び防湿剤を含ませる例を説明したが、これに限定されず、反射層１１の背面側に構成される他の層に、酸化防止剤や防湿剤を含むようにしてもよい。
【００４１】
（３）各実施形態において、表面層１５は、ハードコート機能、防眩機能を備える例を示したが、これに限らず、反射防止機能や紫外線吸収機能、防汚機能や帯電防止機能等を適宜選択してさらに付与してもよい。これらの層は、上述の表面層１５と基材層１４との間に別層として設けてもよいし、表面層１５を形成する樹脂に、上述の機能を有するものを選択して形成してもよい。
（４）各実施形態において、単位レンズ１３１は、図２等に示す断面形状が略三角形形状である例を示したが、これに限らず、例えば、略台形形状であり、レンズ面と非レンズ面とが、スクリーン面に平行な頂面を挟んで対向する形態としてもよい。このとき、頂面は、映像光の反射に寄与しない領域に形成されることが好ましい。頂面上には、保護層を形成してもよいし、反射層を形成してもよい。
【００４２】
（５）各実施形態において、反射スクリーン１０は、さらに、反射スクリーン１０の画面の平面性を維持するために、ガラス製や樹脂製である剛性の高い基板層を備えてもよい。
（６）各実施形態において、反射スクリーン１０、２１０は、その背面側に設けられた支持板５０に接合層を介して接合されており、略平板状である例を示したが、これに限らず、例えば、支持板５０を備えず、反射スクリーンが接合層を介して壁面等に接合される形態としてもよいし、支持板５０を裏面に接合した状態で壁面に固定されたり、フック等の支持部材で壁面に吊り下げられる形態等としてもよい。
また、各実施形態において、反射スクリーン１０は、使用時及び不使用時には略平板状である例を示したが、これに限らず、不使用時には巻き取って保管できる巻き取り可能な形態としてもよい。
【００４３】
（７）各実施形態において、単位レンズ１３１は、図２等に示す断面において、レンズ面１３１ａ及び非レンズ面１３１ｂが直線状となる例を示したが、これに限らず、この断面において、例えば、レンズ面１３１ａや非レンズ面１３１ｂの一部が曲線状となっていてもよい。
また、各実施形態において、単位レンズ１３１のレンズ面１３１ａ及び非レンズ面１３１ｂは、いずれも１つの面である例を示したが、これに限らず、例えば、少なくとも一方の面が、複数の面から構成される形態としてもよい。
【００４４】
（８）各実施形態において、反射スクリーン１０は、背面側から保護層１１、反射層１２、レンズ層１３、基材層１４、表面層１５の順で構成される例を説明したが、これに限定されない。例えば、レンズ層１３と基材層１４との間に、上下方向よりも左右方向に光を拡散する異方性拡散層１６を形成してもよい。
【００４５】
なお、本実施形態及び変形形態は、適宜組み合わせて用いることもできるが、詳細な説明は省略する。また、本発明は以上説明した実施形態等によって限定されることはない。
【符号の説明】
【００４６】
１    映像表示システム
１０、２１０    反射スクリーン
１１、２１１    保護層
１２    反射層
１３    レンズ層
１３１ａ    レンズ面
１３１ｂ    非レンズ面
１４    基材層
１４１    光拡散層
１４２    着色層
１５    表面層
５０    支持板
２２０    接合層
ＬＳ    映像源
【図１】
2014071210.tif 000004
【図２】
2014071210.tif 000005
【図３】
2014071210.tif 000006
【図４】
2014071210.tif 000007
【図５】
2014071210.tif 000008